(57)【要約】【課題】ノイズ低減のため取付けた雑音防止器が食器洗い機内の洗浄槽外の限られた場所で配置し板金加工部材との距離が近くなった場合においても、雑音防止器のコネクター端子と板金加工部材との間の絶縁性を確保することができ、かつ、限られた空間内にて不燃化構成を成り立たせること。【解決手段】少なくとも加熱手段１２と送風手段１１と洗浄ポンプ９とを制御する制御装置１３と、制御装置１３に影響を与えるノイズを低減する雑音防止器２０とを備え、前記雑音防止器２０は、耐絶縁性と難燃性とを兼ね備えているシート１９で覆うとともに、シート１９と雑音防止器２０とを板金加工部材１５ａ、１５ｂで覆う構成とした食器洗い機であり、雑音防止器２０との絶縁距離を保つために製品外形を大きくしたりする必要性をなくすことができる。【選択図】図１
2012000354.tif 000002
【特許請求の範囲】
【請求項１】
被洗浄物を出し入れするための開口部を有する洗浄槽と、前記洗浄槽内に設けられ被洗浄物に洗浄水を噴射する洗浄ノズルと、前記洗浄ノズルに洗浄水を供給する洗浄ポンプと、被洗浄物を加熱する加熱手段と、前記洗浄槽内に空気を送る送風手段と、前記開口部を開閉する蓋体と、少なくとも前記加熱手段と前記送風手段と前記洗浄ポンプとを制御する制御装置と、前記制御装置に影響を与えるノイズを低減する雑音防止器とを備え、前記雑音防止器は、耐絶縁性と難燃性とを兼ね備えているシートで覆うとともに、前記シートと前記雑音防止器とを板金加工部材で覆う構成とした食器洗い機。
【請求項２】
前記制御装置と前記雑音防止器とは分離して配設した請求項１に記載の食器洗い機。
【発明の詳細な説明】
【技術分野】
【０００１】
本発明は、洗浄ノズルより食器に向けて洗浄水を噴射して食器を洗浄する食器洗い機に関する。
【背景技術】
【０００２】
従来のこの種の食器洗い機について、図５、図６を用いて説明する。図５、図６に示すように、洗浄槽１は前方に開口部１６を有するとともに、食器２を入れる食器かご３を前後方向に移動可能に配置している。洗浄槽１の開口部１６はその下方の一辺と平行な回転軸４を有する第１の蓋体５と、この第１の蓋体５と連動して動作する第２の蓋体６によって開閉される。食器２を出し入れする場合、第１の蓋体５を略垂直方向から略水平方向へ開くとともに、これに連動して第２の蓋体６が上方へ開き、第１の蓋体５上に食器かご３を引き出して行う。
【０００３】
洗浄槽１の底部には洗浄水を噴射する洗浄ノズル７を回転自在に設け、洗浄槽１の底部に設けた排水口８および洗浄槽１の下方に配置した洗浄ポンプ９と配管部１０を介して接続している。洗浄槽１内の洗浄水は加熱手段１２によって温水化され、洗浄ポンプ９にて排水口８から吸い込まれ、洗浄ノズル７に圧送される。洗浄ノズル７より勢いよく噴射される洗浄水によって、食器かご３に収容された食器２を洗浄する。
【０００４】
さらに洗浄槽１の下方には、洗浄槽１内に空気を送り込み食器２を乾燥させる送風手段１１と、加熱手段１２と送風手段１１と洗浄ポンプ９等を制御する制御装置１３が設けられている。制御装置１３には、洗濯乾燥機に搭載される制御装置と同様の構成が採用され、基板上にコネクター１７や電装部品１８が配設され、難燃性樹脂で構成された舟状の制御装置ケース１４を備え、外表面全面をそれぞれ薄板鋼板の板金加工部材１５ａ、１５ｂで被覆したことにより、制御装置１３からの発火という不安全状態が他の箇所に類焼することを防止するようにしている（例えば、特許文献１参照）。
【先行技術文献】
【特許文献】
【０００５】
【特許文献１】特開２００９−１７８４８６号公報
【発明の概要】
【発明が解決しようとする課題】
【０００６】
このような従来の食器洗い機においては、制御装置１３の電装部品１８の部品不良、コネクター１７の接続部のガタツキ、或いは加締不良、水や蒸気の浸入等が原因で、万が一、電装部品１８やコネクター１７の接続部から発火した場合でも、制御装置ケース１４を難燃グレードＶ０などの難燃性樹脂で構成し、外表面全面をそれぞれ薄板鋼板の板金加工部材１５ａ、１５ｂで被覆したことにより、制御装置１３からの発火という不安全状態が他の箇所に類焼することを防止することが可能であるが、狭い範囲での構成になるとコネクター１７から薄板鋼板の板金加工部材１５ａ、１５ｂに静電気が流れ、耐サージ試験に対して余裕度を確保することが困難になる恐れあり、コネクター１７と薄板鋼板の板金加工部材１５ａ、１５ｂとの距離を確保するために空間２３を設ける必要があり、限られた範囲内で制御装置１３を配設するのが困難であった。
【０００７】
また特に、最近の食器洗い機においては、外形は小型でかつ大容量のものが必要とされ、モータ等の各種電装部品や制御装置１３の配設空間が少なく、また、雑音発生源である洗浄ポンプ９を駆動するモータやスイッチング電源回路との距離も近くなることから、雑
音防止器を搭載することが多くなってきた。この種の雑音防止器を搭載した食器洗い機においては、上述したように、雑音防止器の周辺に対しても、難燃性に加えて耐絶縁性も兼ね備えた新たな構成が必要とされるようになってきた。
【０００８】
本発明は、前記従来の課題を解決するもので、ノイズ低減のため取付けた雑音防止器が食器洗い機内の洗浄槽外の限られた場所で配置し板金加工部材との距離が近くなった場合においても、耐絶縁性と難燃性とを兼ね備えたシートにより雑音防止器のコネクター端子と板金加工部材との間の絶縁性を確保することができ、かつ、限られた空間内にて不燃化構成を成り立たせることが可能な食器洗い機を提供することを目的とする。
【課題を解決するための手段】
【０００９】
上記課題を解決するために、本発明の食器洗い機は、被洗浄物を出し入れするための開口部を有する洗浄槽と、前記洗浄槽内に設けられ被洗浄物に洗浄水を噴射する洗浄ノズルと、前記洗浄ノズルに洗浄水を供給する洗浄ポンプと、被洗浄物を加熱する加熱手段と、前記洗浄槽内に空気を送る送風手段と、前記開口部を開閉する蓋体と、少なくとも前記加熱手段と前記送風手段と前記洗浄ポンプとを制御する制御装置と、前記制御装置に影響を与えるノイズを低減する雑音防止器とを備え、前記雑音防止器は、耐絶縁性と難燃性とを兼ね備えているシートで覆うとともに、前記シートと前記雑音防止器とを板金加工部材で覆う構成としたものである。
【００１０】
これにより、ノイズ低減のため取付けた雑音防止器が食器洗い機内の洗浄槽外の限られた場所で配置し板金加工部材との距離が近くなった場合においても、耐絶縁性と難燃性とを兼ね備えたシートにより雑音防止器のコネクター端子と板金加工部材との間の絶縁性を確保することができ、かつ、限られた空間内にて不燃化構成を成り立たせることが可能となるため、雑音防止器との絶縁距離を保つために製品外形を大きくしたりする必要性をなくすことができる。
【発明の効果】
【００１１】
本発明の食器洗い機は、ノイズ低減のため取付けた雑音防止器が食器洗い機内の洗浄槽外の限られた場所で配置し板金加工部材との距離が近くなった場合においても、耐絶縁性と難燃性とを兼ね備えたシートにより雑音防止器のコネクター端子と板金加工部材との間の絶縁性を確保することができ、かつ、限られた空間内にて不燃化構成を成り立たせることが可能となるため、雑音防止器との絶縁距離を保つために製品外形を大きくしたりする必要性をなくすことができる。
【図面の簡単な説明】
【００１２】
【図１】本発明の実施の形態１における食器洗い機の縦断面図
【図２】同食器洗い機の制御装置の分解斜視図
【図３】同食器洗い機の制御装置の雑音防止器の回路構成を示す回路図
【図４】本発明の実施の形態２における食器洗い機の制御装置および雑音防止器の分解斜視図
【図５】従来の食器洗い機の縦断面図
【図６】同食器洗い機の制御装置の分解斜視図
【発明を実施するための形態】
【００１３】
第１の発明は、被洗浄物を出し入れするための開口部を有する洗浄槽と、前記洗浄槽内に設けられ被洗浄物に洗浄水を噴射する洗浄ノズルと、前記洗浄ノズルに洗浄水を供給する洗浄ポンプと、被洗浄物を加熱する加熱手段と、前記洗浄槽内に空気を送る送風手段と、前記開口部を開閉する蓋体と、少なくとも前記加熱手段と前記送風手段と前記洗浄ポンプとを制御する制御装置と、前記制御装置に影響を与えるノイズを低減する雑音防止器と
を備え、前記雑音防止器は、耐絶縁性と難燃性とを兼ね備えているシートで覆うとともに、前記シートと前記雑音防止器とを板金加工部材で覆う構成としたものであり、ノイズ低減のため取付けた雑音防止器が食器洗い機内の洗浄槽外の限られた場所で配置し板金加工部材との距離が近くなった場合においても、耐絶縁性と難燃性とを兼ね備えたシートにより雑音防止器のコネクター端子と板金加工部材との間の絶縁性を確保することができ、かつ、限られた空間内にて不燃化構成を成り立たせることが可能となるため、雑音防止器との絶縁距離を保つために製品外形を大きくしたりする必要性をなくすことができる。
【００１４】
第２の発明は、第１の発明において、前記制御装置と前記雑音防止器とは分離して配設したものであり、制御装置と前記雑音防止器とを一体構成する空間がない場合でも、雑音防止器にのみに耐絶縁性と難燃性とを兼ね備えているシートと薄板鋼板の板金加工部材を設けることにより、同様の効果を得ることができ、制御装置を大きくする必要もなく、限られたスペース配設することが可能となり、加熱手段、洗浄ポンプ、送風手段などの配置を制限することなく対応することが可能となる。
【００１５】
以下、本発明の実施の形態について、図面を参照しながら説明する。なお、この実施の形態によって本発明が限定されるものではない。
【００１６】
（実施の形態１）
図１および図２に示すように、食器洗い機本体内に洗浄槽１を設け、その洗浄槽１には食器２（被洗浄物）を出し入れする開口部１６を設け、洗浄槽１の開口部１６はその下方の一辺と平行な回転軸４を有する第１の蓋体５と、この第１の蓋体５と連動して動作する第２の蓋体６によって開閉される。食器２は洗浄槽１内に設けた食器かご３にセットしている。
【００１７】
また、洗浄槽１内の底部には、洗浄水を噴射する洗浄ノズル７を回転自在に設け、洗浄槽１の底部に設けた排水口８および洗浄槽１の下方に配置した洗浄ポンプ９と配管部１０を介して接続している。洗浄槽１内の洗浄水は洗浄槽１内の底部に設けた加熱手段１２によって温水化され、洗浄ポンプ９にて排水口８から吸い込まれ、洗浄ノズル７に圧送される。洗浄ノズル７より勢いよく噴射される洗浄水によって、食器かご３に収容された食器２を洗浄する。
【００１８】
さらに洗浄槽１の下方には、送風口２１から洗浄槽１内に空気を送り排気口２２から排気する送風手段１１と、加熱手段１２と送風手段１１と洗浄ポンプ９等を制御する制御装置１３を設けている。加熱手段１２は、洗浄工程およびすすぎ工程の最後に行う加熱すすぎにおいて洗浄水を加熱し、乾燥工程においては送風手段１１によって送風口２１から送風される空気を加熱する。
【００１９】
制御装置１３は洗浄槽１の形態により水平方向や垂直方向のどちらにも配設される。制御装置１３は、難燃性樹脂で構成された舟状の制御装置ケース１４に収納された基板上にコネクター１７や電装部品１８が配設され、さらに、洗浄ポンプ９を駆動するモータやスイッチング電源回路等からのノイズの影響を低減する雑音防止器２０を配設している。雑音防止器２０とコネクター１７接続部は耐絶縁性と難燃性とを兼ね備えた厚さ約１ｍｍのフッ素樹脂製のシート１９で覆い、さらに、制御装置ケース１４のほぼ外表面全面を、薄板鋼板の板金加工部材１５ａ、１５ｂで被覆している。
【００２０】
上記のシート１９と板金加工部材１５ａ、１５ｂによる雑音防止器２０周辺の構成は、万一の発火時の類焼防止のための難燃性に加えて、ライン間の耐絶縁性とアース間の耐絶縁性をも確保するものである。なお、雑音防止器２０の回路構成の一例を図３に示しておく。
【００２１】
上記のように構成した食器洗い機について、その動作、作用を説明する。
【００２２】
まず、使用者が第１および第２の蓋体５、６を開放し、洗浄槽１内に配置された食器かご３に汚れた食器２をセットする。つぎに、第１および第２の蓋体５、６を閉め、運転を開始すると、洗浄槽１の底部に配置された加熱手段１２によって洗浄水が加熱され、その加熱された洗浄水が洗浄ポンプ９により洗浄ノズル７から食器２に向かって噴射され、食器２の汚れを落とす洗浄工程が行なわれる。
【００２３】
その後、食器２をすすぐ、すすぎ工程を行う。次に、送風手段１１を駆動することによって、送風口２１から乾いた空気を洗浄槽１内に圧送し、洗浄槽１内の湿った空気が排気口２２より洗浄槽１外に排出され、同時に、加熱手段１２によって、空気を加熱し、食器２の間を通り、食器２に付着している水滴を蒸発させ、また食器２を直接加熱する乾燥工程を行い、運転を終了する。
【００２４】
制御装置１３は、雑音防止器２０とコネクター１７接続部を耐絶縁性と難燃性とを兼ね備えたシート１９で覆い、さらに、制御装置ケース１４のほぼ外表面全面を、薄板鋼板の板金加工部材１５ａ、１５ｂで被覆したので、制御装置１３を構成する電装部品１８の劣化や部品不良、コネクター１７の接続部のガタツキ、或いは加締不良、水や蒸気の浸入等が原因で、万が一、発火した場合でも制御装置ケース１４および薄板鋼板の板金加工部材１５ａ、１５ｂにより遮蔽されるので外部に類焼してしまう危険性がなく、かつ、雑音防止器２０やコネクター１７接続部から板金加工部材１５ａ、１５ｂへのノイズはシート１９にて遮断することで限られた空間内にて不燃化構成を成り立たせることが可能となるため、雑音防止器２０と薄板鋼板の板金加工部材１５ａ、１５ｂ、特に板金加工部材１５ｂとの絶縁距離を保つために製品外形を大きくする必要性をなくすことができる。
【００２５】
（実施の形態２）
本実施の形態は、図４に示すように、難燃性樹脂で構成された舟状の制御装置ケース１４に収納された基板上にコネクター１７や電装部品１８が配設された制御装置１３とは分離して別に雑音防止器２０を配設したものである。雑音防止器２０は耐絶縁性と難燃性とを兼ね備えたシート１９ａで覆い、さらに、そのほぼ外表面全面を、薄板鋼板の板金加工部材１５ｃ、１５ｄで被覆している。他の構成は上記実施の形態１と同じである。
【００２６】
本実施の形態によれば、雑音防止器２０を制御装置１３に組み込み一体に構成する空間がない場合でも、別の空間に配設した雑音防止器２０に耐絶縁性と難燃性とを兼ね備えているシート１９ａと薄板鋼板の板金加工部材１５ｃ、１５ｄを設けることにより、上記実施の形態１と同様の効果を得ることができ、制御装置１３を大きくする必要もなく、限られたスペース内で配設することが可能となり、加熱手段１２、洗浄ポンプ９、送風手段１１などの配置を制限することなく対応することが可能となる。
【産業上の利用可能性】
【００２７】
以上のように、本発明の食器洗い機は、制御装置を構成する電装部品の劣化や部品不良、コネクター部のガタツキ、或いは加締不良、水や蒸気の浸入等が原因で、万が一、発火した場合でも制御装置ケースおよび薄板鋼板の板金加工部材により遮蔽されるので外部に類焼してしまう危険性がなく、雑音防止器やコネクター接続部から板金加工部材へのノイズは耐絶縁性と難燃性とを兼ね備えたシートにて遮断することで、限られた空間内にて不燃化構成を成り立たせることが可能となるため、限られた空間内で耐絶縁性と難燃性とを両立させた雑音防止器周辺の構成が必要とされる食器洗い機等として有用である。
【符号の説明】
【００２８】
１  洗浄槽
２  食器（被洗浄物）
３  食器かご
４  回転軸
５  第１の蓋体（蓋体）
６  第２の蓋体（蓋体）
７  洗浄ノズル
９  洗浄ポンプ
１１  送風手段
１２  加熱手段
１３  制御装置
１４  制御装置ケース
１５ａ、１５ｂ、１５ｃ、１５ｄ  板金加工部材
１６  開口部
１７  コネクター
１８  電装部品
１９、１９ａ  シート
２０  雑音防止器
【図１】
2012000354.tif 000003
【図２】
2012000354.tif 000004
【図３】
2012000354.tif 000005
【図４】
2012000354.tif 000006
【図５】
2012000354.tif 000007
【図６】
2012000354.tif 000008